(57)【要約】【課題】セキュリティモードを設定し忘れるという人為的ミスを防止し、人がいるにもかかわらず誤ってセキュリティモードに設定されてしまうことを防止する。【解決手段】主装置１（制御部１１）は、電話機２に備え付けられた異常検出センサ２８が一定期間異常を検出しなくなったときに第１のモード（セキュリティスタンバイモード）に移行して電話機２に報知し、報知に対して一定期間応答がない場合に第２のモード（セキュリティモード）へ移行し、報知に対して応答があった場合に第２のモードへ（セキュリティモード）の移行を延期する制御を行う。なお、このときの報知は着信通知である。【選択図】図１
2015046651.tif 000002
【特許請求の範囲】
【請求項１】
異常検出センサを有する少なくとも１台の電話機と、主装置とを含む電話装置であって、
前記異常検出センサが一定期間異常を検出しなくなったときに第１のモードに移行して前記電話機に報知し、前記報知に対して一定期間応答がない場合に第２のモードへ移行し、前記報知に対して応答があった場合に前記第２のモードへの移行を延期する制御を行う制御部、
を有することを特徴とする電話装置。
【請求項２】
前記電話機への報知は着信通知であることを特徴とする請求項１記載の電話装置。
【請求項３】
前記制御部は、
前記第２のモードにおいて前記異常検出センサにより異常が検出された場合、前記電話機に報知し、前記報知に応答して行われる解除操作を検出すると前記第２のモードによる動作を解除することを特徴とする請求項１または２記載の電話装置。
【請求項４】
前記制御部は、
前記第２のモードにおいて前記異常検出センサにより異常が検出された場合、前記電話機に報知するとともにメッセージを出力し、前記メッセージ出力に応答して行われる解除操作を検出すると、前記第２のモードによる動作を解除することを特徴とした請求項１または２記載の電話装置。
【発明の詳細な説明】
【技術分野】
【０００１】
本発明は、電話機に設けられた異常検出センサを利用して、セキュリティを監視する電話装置に関するものである。
【背景技術】
【０００２】
居室内への不審者の侵入を検知する異常検出センサ付電話機が知られている。異常検出センサ付電話機は、例えば、特許文献１に開示されているように、通常は一般的な電話機として機能し、セキュリティモード時には、人がいることを検知すると警報音や警告を発するとともに、指定した場所に通報を行う。
【先行技術文献】
【特許文献】
【０００３】
【特許文献１】特開２００６−２４５６６７号公報
【発明の概要】
【発明が解決しようとする課題】
【０００４】
上記した異常検出センサ付電話装置において、不審者の侵入を検知するためのセキュリティモードの設定のために、代表的には以下に説明する第１の方法と第２の方法とがある。第１の方法は、居室を最後に出る社員が電話機を操作して設定し、設定された何分か後にセキュリティモードに移行する方法である。第２の方法は、セキュリティモードを実行する時間を予め設定しておき、タイムアウトを検出することにより自動的にセキュリティモードへ移行させる方法である。
【０００５】
しかしながら、第１の方法によれば、社員が設定し忘れ、結果的にセキュリティモードに移行せず、したがって不審者の侵入を許す場合がある。また、第２の方法によれば、最後に社員が居室を出る時間はまちまちであり、通常は誰もいなくなるのが確実と考えられる時間に設定されるため、実際には最後の社員が退室してから大分時間が経過した後にセキュリティモードに移行する。そのため、その間に不審者が侵入しても異常検出がされないことが考えられる。また、万が一設定時に社員が居室に残っているときには、社員がいちいち解除する必要があり、そのための操作が煩雑である。
【０００６】
本発明は上記した課題を解決するためになされたものであり、セキュリティモードを設定し忘れるという人為的ミスを防止し、人がいるにもかかわらず誤ってセキュリティモードに設定されてしまうことを防止することができる電話装置を提供することを目的とする。
【課題を解決するための手段】
【０００７】
上記した課題を解決するために本発明は、異常検出センサを有する少なくとも１台の電話機と主装置とからなる電話装置であって、前記異常検出センサが一定期間異常を検出しなくなったときに第１のモードに移行して前記電話機に報知し、前記報知に対して一定期間応答がない場合に第２のモードへ移行し、前記報知に対して応答があった場合に前記第２のモードへの移行を延期する制御を行う制御部、を有することを特徴とする。
【０００８】
本発明において、前記電話機への報知は着信通知であることを特徴とする。
【０００９】
本発明において、前記制御部は、前記第２のモードにおいて前記異常検出センサにより異常が検出された場合、前記電話機に報知し、前記報知に応答して行われる解除操作を検出すると前記第２のモードによる動作を解除することを特徴とする。
【００１０】
本発明において、前記制御部は、前記第２のモードにおいて前記異常検出センサにより異常が検出された場合、前記電話機に報知するとともにメッセージを出力し、前記メッセージ出力に応答して行われる解除操作を検出すると、前記第２のモードによる動作を解除することを特徴とする。
【発明の効果】
【００１１】
本発明によれば、セキュリティモードを設定し忘れるという人為的ミスを防止し、人がいるにもかかわらず誤ってセキュリティモードに設定されてしまうことを防止することができる電話装置を提供することができる。
【図面の簡単な説明】
【００１２】
【図１】本発明の実施の形態の電話装置の構成を示すブロック図である。
【図２】図１の電話機の構成を示すブロック図である。
【図３】本発明の実施の形態に係る主装置の動作を示すシーケンス図である。
【図４】図１、図３に示した主装置の動作を示すフローチャートである。
【発明を実施するための形態】
【００１３】
以下、添付図面を参照して、本発明を実施するための形態（以下、本実施形態という）について詳細に説明する。なお、本実施形態の説明の全体を通して同じ要素には同じ番号を付している。
【００１４】
（実施形態の構成）
図１は本実施形態の電話装置１０の構成を示すブロック図である。本実施形態の電話装置１０は、主装置１と、それに収容されるＮ台（Ｎ≧２）の電話機２（２ａ〜２ｎ）により構成される。
【００１５】
主装置１は、１本以上の電話回線８に接続されており、内線伝送路６により電話機２（２ａ〜２ｎ）に接続されている。なお、図示省略したが、主装置１には、ＰＣやサーバが無線又は有線のＬＡＮ（Local  Area  Network）等の通信ネットワーク７を介して接続されている。このとき、主装置１とＰＣやサーバは、通信ネットワーク７を介して互いにデータ通信が可能である。
【００１６】
主装置１は、電話機２の状態を管理し、この主装置１全体の制御等を行う制御部１１と、電話回線８を終端制御する外線インターフェース部１２と、内線伝送路６を介してボタン電話機２ａ〜２ｎを収容する内線インターフェース部１３と、外線インターフェース部１２と内線インターフェース部１３とを交換接続する交換処理部１４と、通信ネットワーク７を介したデータ通信のための処理を行う通信インターフェース部１５と、記憶部１６と、を備えている。
【００１７】
制御部１１は、電話機２が有する後述する異常検出センサ（図２の符号２８）が一定期間異常を検出しなくなったときに第１のモード（セキュリティスタンバイモード）に移行して電話機２に報知し、その報知に対して一定期間応答がない場合に第２のモード（セキュリティモード）へ移行し、報知に対して応答があった場合に第２のモードへの移行を延期する制御を行う。なお、ここでいう報知は着信音を含む報知音である。
【００１８】
制御部１１は、第２のモード（セキュリティモード）において異常検出センサ２８により異常が検出された場合に電話機２（２ａ〜２ｎ）に報知し、報知に応答して行われる解除操作を検出すると第２のモードによる動作を解除してもよい。また、制御部１１は、第２のモード（セキュリティモード）において異常検出センサ２８により異常が検出された場合、電話機２（２ａ〜２ｎ）に報知するとともにメッセージを出力し、そのメッセージ出力に応答して行われる解除操作を検出すると第２のモードによる動作を解除してもよい。
【００１９】
記憶部１６は、制御部１１が各種処理を実行するときに使用するプログラム等が予め格納されているＲＯＭ、制御部１１が各種処理を実行するときに各種データ等を一時的に記憶するＲＡＭ等からなる。
【００２０】
図１において、電話機２（２ａ〜２ｎ）は後述する異常検出センサ２８を具備するものとしないものとがあるが、異常検出センサ２８の有無以外は同じ構成を持つため、以下、異常検出センサ２８を具備する電話機２（２ａ〜２ｎ）のいずれかを電話機２として説明する。
【００２１】
図２に示すように、電話機２は、この電話機２全体の制御等を行う制御部２１と、それぞれが制御部２１に接続された内線インターフェース部２２、音声処理部２３、ＬＣＤ表示部２４、ＬＥＤ光源２５、操作部２６、記憶部２７、及び異常検出センサ２８を備えている。
【００２２】
内線インターフェース部２２は、内線伝送路６を介して主装置１と通信を行い、音声処理部２３は、音声信号アンプ、スピーカ、及び受話器等を備えており、呼出音や各種報知音の発生等を行う。ＬＣＤ表示部２４は制御部２１から送られてくる各種情報や後述する操作部２６から入力される情報等を表示する。ＬＥＤ光源２５は後述する操作部２６を構成する各種キーの照明や状態表示を行うための光源である。操作部２６は、ダイヤルキー、外線キー、フレキシブルキー、フックスイッチ等の各種キーを備え、ユーザがこれらのキーを用いて入力した情報を制御部２１へ送る。
【００２３】
記憶部２７は、制御部２１が各種処理を実行するときに使用するプログラム等が予め格納されているＲＯＭ、制御部２１が各種処理を実行するときに各種データ等を一時的に記憶するＲＡＭ等からなる。異常検出センサ２８は、例えば、焦電センサ（赤外線センサ）であり、人体の発生する熱を検出することで電話機２の近くにいる人を検知する。
【００２４】
（実施形態の動作）
以下、本実施形態の電話装置１０の動作につき、図３のシーケンス図を参照しながら説明を行う。
【００２５】
電話機２では、常時、電話機２が有する異常検出センサ２８によって近くにいる人の監視を行っている。主装置１は、電話機２からの信号に基づき、異常検出センサ２８により人がいなくなってから一定時間経過したことを検出すると（人の検知無し）、人がいなくなったと判定しセキュリティスタンバイモード（第１のモード）に移行するための制御を行う（ステップＳ１１）。ここでは図示省略したタイマによる時間監視を行なう。
【００２６】
セキュリティスタンバイモード（第１のモード）へ移行後、ケース（ａ）として示すように、例えば、電話機２ａ（ＴＥＬ−Ａ）の異常検出センサ２８が人を検知すると（ステップＳ１０１）、主装置１は、全ての電話機２（２ａ〜２ｎ）に対し、音による確認用報知を行う（ステップＳ１０２）。ここで、電話機２ｂ（ＴＥＬ−Ｂ）がその確認通知に対して着信応答すると（ステップＳ１０３）、主装置１は、セキュリティスタンバイモード（第１のモード）を解除する制御を行う（ステップＳ１２）。
【００２７】
また、ケース（ｂ）として示すように、タイマによる監視時間内に電話機２（２ａ〜２ｎ）のいずれからも着信応答が無い場合（着信応答無し）、主装置１は、セキュリティモード（第２のモード）へ移行するための制御を行なう（ステップＳ１３）。
【００２８】
セキュリティモード（第２のモード）へ移行後、ケース（ｃ）として示すように、例えば、電話機２ｂ（ＴＥＬ−Ｂ）が人を検知すると（ステップＳ１０４）、主装置は、全ての電話機２（２ａ〜２ｎ）に対して警告確認用の着信を含む報知を行ない（ステップＳ１０５）、警告モードへ移行する（ステップＳ１４）。警告モードに移行すると、アラーム発生、各電話機２（２ａ〜２ｎ）のＬＥＤの点滅等、セキュリティによる警報が始動する。そして、ケース（ｄ）に示すように、例えば、電話機２ｃが着信応答すると（ステップＳ１０６）、主装置１は、その電話機２ｃに対して着信報知を行うと共に、例えば、「何の御用ですか？」のような音声メッセージを送信してパスワード入力を促す（ステップＳ１０７）。
【００２９】
主装置１は、パスワードの入力（ステップＳ１０８）を待って登録してあるパスワードと一致した場合に限り警告モードおよびセキュリティモードを解除する（ステップＳ１５）。パスワード入力がなければ侵入者と判断し、例えば、図示省略した管理サーバ経由で警備会社に連絡する等、その後のセキュリティに移行する。
【００３０】
上記したように、本実施形態の電話装置１０によれば、セキュリティスタンバイモード（第１のモード）からセキュリティモード（第２のモード）への移行時に、ユーザ確認のための処理を挿入することで、人がいるにもかかわらず、セキュリティモード（第２のモード）に移行してしまうことを防止することができる。このとき、確認のための方法として、着信報知、あるいは操作部２６に割り付けられたフレキシブルキーの点灯、点滅等が考えられる。また、タイマが監視する一定時間内に応答することでセキュリティスタンバイモード（第１のモード）に移行させることも可能である。
【００３１】
また、着信通知を含む報知は、特定の１台の電話機２でも、登録した複数の電話機２（２ａ〜２ｎのいずれか）でも、さらには主装置１の配下に接続されている全ての電話機２（２ａ〜２ｃ）や、図示を省略した建屋外の別の主装置の配下にある電話機でもよい。図示を省略した管理サーバと連携させることにより、建屋内の全ての主装置を管理することができ、例えば、全ての建物がセキュリティモードに移行したら敷地内にセキュリティを稼動させる等、より強化したセキュリティシステムを構築できる。
【００３２】
図４に本実施形態の電話装置１０における主装置１の動作がフローチャートで示されている。ここでは、デフォルトであらかじめセキュリティモードが設定されているものとして説明する（ステップＳ２０１）。
【００３３】
図４において、主装置１（制御部１１）は、電話機２からの信号に基づき、異常検出センサ２８により人がいなくなってから一定時間経過したことを検出すると（ステップＳ２０２“ＹＥＳ”）、人がいなくなったと判定しセキュリティスタンバイモードに移行するための制御を行う（ステップＳ２０３）。人を検知した場合（ステップＳ２０２“ＮＯ”）は、セキュリティスタンバイモードに移行せず、ステップＳ２０２へ戻る。セキュリティスタンバイモードへ移行すると制御部１１は、内蔵のタイマによる時間監視のスタートと、全ての電話機２（２ａ〜２ｎ）に対してセキュリティスタンバイモードへ移行したことを音で報知するモード移行通知を送信する（ステップＳ２０４）。
【００３４】
ここで、制御部１１は、モード移行通知を受信した電話機２（２ａ〜２ｎ）からタイマが監視する一定時間内に応答がない場合（ステップＳ２０５“ＹＥＳ”）、セキュリティモードへ移行する制御を行い（ステップＳ２０６）、モード移行通知に対して応答があった場合（ステップＳ２０５“ＮＯ”）、セキュリティモードへの移行を延期し、ステップＳ２０２へ戻る。
【００３５】
セキュリティモードへ移行した後、例えば、電話機２が人を検知すると（ステップＳ２０７“ＹＥＳ”）、制御部１１は、警告モードへ移行し（ステップＳ２０８）、全ての電話機２（２ａ〜２ｎ）に対して着信を含む確認報知とともに、アラーム発生、各電話機２（２ａ〜２ｎ）のＬＥＤ光源２５の点滅等、セキュリティによる警報を始動させる。そして、電話機２が確認報知に対して着信応答すると、主装置１は、その電話機２ｃに対して音声メッセージを送信してパスワード入力を促す。
【００３６】
制御部１１は、ユーザが操作部２６を操作してパスワード入力による解除操作があれば（ステップＳ２０９“ＹＥＳ”）、パスワード照合を行い、一致した場合に限り警告モードおよびセキュリティモードを解除する（ステップＳ２１０）。一方、パスワード入力がなければ（ステップＳ２０９“ＮＯ”）、侵入者と判断して警告モードにしたがう警告音を発生させ、例えば、図示を省略した管理サーバ経由で警備会社に連絡する等、その後のセキュリティ管理動作（ステップＳ２１１）に移行する。
【００３７】
（実施形態の効果）
以上説明のように本実施形態の電話装置１０によれば、主装置１（制御部１１）は、電話機２に備え付けられた異常検出センサ２８が一定期間異常を検出しなくなったときに第１のモード（セキュリティスタンバイモード）に移行して電話機２に報知し、報知に対して一定期間応答がない場合に第２のモード（セキュリティモード）へ移行し、報知に対して応答があった場合に第２のモードへ（セキュリティモード）の移行を延期する制御を行う。なお、このときの報知は着信通知である。
【００３８】
したがって、電話機２に備わっている異常検出センサによりモード移行を自動制御し、モード移行時にモード移行通知（着信音報知等）を行うことでユーザがセキュリティモードに設定し忘れるという人為的ミスを防止することができる。また、人がいるにもかかわらず誤ってセキュリティモードに設定されてしまうことも防止することができる。なお、本実施形態の電話装置１０によれば、電話機２の設備のみで、設置工事や専用線の設置を不要とした低いコストでの高性能セキュリティ機能を実現できる。
【００３９】
また、本実施形態の電話装置１０によれば、制御部１１は、第２のモード（セキュリティモード）において異常検出センサ２８により異常が検出された場合、電話機２に報知し、報知に応答して行われる解除操作を検出すると第２のモード（セキュリティモード）による動作を解除する。このように、第２のモード（セキュリティモード）に対する解除手段を用意しておくことでユーザに利便性を提供することができる。
【００４０】
更に、本実施形態の電話装置１０によれば、制御部１１は第２のモード（セキュリティモード）において異常検出センサ２８により異常が検出された場合、電話機２に報知するとともにメッセージを出力し、メッセージ出力に応答して行われる解除操作を検出すると、第２のモード（セキュリティモード）による動作を解除する。このように、モード移行時に、音とメッセージで通知してユーザ確認のための処理を挿入することで簡単にモード移行を制御することができる。
【００４１】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００４２】
１  主装置、２（２ａ〜２ｎ）  電話機、１０  電話装置、１１  制御部、２８  異常検出センサ、２５  ＬＥＤ光源、２６  操作部
【図１】
2015046651.tif 000003
【図２】
2015046651.tif 000004
【図３】
2015046651.tif 000005
【図４】
2015046651.tif 000006